(57)【要約】【課題】本発明は、老朽化や腐食部分の不具合個所、特に既存の函体の屋根補修するための使用に適したキュービクル補修工事用屋根構造を提供することを目的とする。【解決手段】屋根本体１は、鋼板から折曲一体形成され、前記キュービクル函体Ｂの上部開口部を蔽う平板状の天井部３と、該天井部３の三方辺に対して直角に所定幅で折り曲げられた側面部４と、該側面部４から前記天井部側へさらに直角に所定幅で折り曲げた底部５と、前記天井部３の開放端及び側面部の開放端に対して上方及び外方に直角に所定幅で立ち上げた立上部６と、該立上部先端から前記天井部側及び側面部側へさらに直角に所定幅で折り曲げた折曲鍔部７と、前記天井部３の開放端に対して対向する前記底部５から下方へ直角に側面パネルＡ幅で折り曲げ、前記キュービクル函体Ｂの側面パネルＡに取り付け固定される固定取付片８とから構成される。【選択図】図１
2007166736.tif 000002
【特許請求の範囲】
【請求項１】
屋根本体が鋼板から折曲一体形成され、キュービクル函体Ｂの上部開口部を蔽う平板状の天井部と、該天井部の三方辺に対して下方に直角に所定幅で折り曲げられた側面部と、該側面部から内側へさらに直角に所定幅で折り曲げた底部と、前記天井部の開放端及び側面部の開放端に対して上方及び外方に直角に所定幅で立ち上げた立上部と、該立上部先端から外側へさらに直角に所定幅で折り曲げた折曲鍔部と、前記天井部の開放端に対して対向する前記底部から下方へ直角に側面パネルＡ幅で折り曲げて前記キュービクル函体Ｂの側面パネルＡに取り付け固定される固定取付片とから構成されることを特徴とするキュービクル補修工事用屋根構造。
【請求項２】
少なくとも前記屋根本体同士の立上部を向かい合わせに付合わせて前記キュービクル函体Ｂの屋根Ｃを形成することを特徴とする請求項１記載のキュービクル補修工事用屋根構造。
【発明の詳細な説明】
【技術分野】
【０００１】
本発明は、キュービクル式高圧受電設備の函体において、腐食や老朽化により函体の屋根補修を行う際に使用されるキュービクル補修工事用屋根構造に関する。
【背景技術】
【０００２】
従来、キュービクル式高圧受電設備は、各種変圧機器を収納する函体と、この函体の底部を支持するチャンネルベースとで構成され、このチャンネルベースには多数の通気用の貫通孔が穿設され、函体の上部には屋根体が載置固定され、屋根体の庇部には放熱用の開口部が設けられ、函体の側面には扉体が開閉可能に設けられる（特許文献１を参照）。
特に、既存キュービクルには屋根部に設置用アイボルトが取り付けられており、積雪地帯ではアイボルト突起部により雪が残り、腐食の原因になる（特許文献２を参照）。
屋外に設置されているキュービクル式高圧受電設備は、老朽化や長年使用することにより風雨に曝されて鋼板からなる函体等に腐食を生じることになるため、不具合個所を撤去し補修しなければならない。
【特許文献１】特開平７−２２７０１５号公報
【特許文献２】特開平９−３７４１９号公報
【発明の開示】
【発明が解決しようとする課題】
【０００３】
本発明は、老朽化や腐食部分の不具合個所、特に既存の函体の屋根補修するための使用に適したキュービクル補修工事用屋根構造を提供することを目的とする。
【課題を解決するための手段】
【０００４】
本発明のキュービクル補修工事用屋根構造は、屋根本体が鋼板から折曲一体形成され、キュービクル函体Ｂの上部開口部を蔽う平板状の天井部と、該天井部の三方辺に対して下方に直角に所定幅で折り曲げられた側面部と、該側面部から内側へさらに直角に所定幅で折り曲げた底部と、前記天井部の開放端及び側面部の開放端に対して上方及び外方に直角に所定幅で立ち上げた立上部と、該立上部先端から外側へさらに直角に所定幅で折り曲げた折曲鍔部と、前記天井部の開放端に対して対向する前記底部から下方へ直角に側面パネルＡ幅で折り曲げて前記キュービクル函体Ｂの側面パネルＡに取り付け固定される固定取付片とから構成されるものである。
少なくとも前記屋根本体同士の立上部を向かい合わせに付合わせて前記キュービクル函体Ｂの屋根Ｃを形成するものである。
【発明の効果】
【０００５】
本発明のキュービクル補修工事用屋根構造は、鋼板から折曲一体形成され、キュービクル函体Ｂの側面パネルＡに屋根本体の固定取付片が取り付け固定されるので、腐りにくく、また鳥などが巣を作らないように隙間を作らない丈夫な加工ができる。
さらに、本発明のキュービクル補修工事用屋根構造は、既に現場に設置されているキュービクルに対して施工されるため、アイボルトなどの吊り金具などの突起物を屋根上に取り付けないことにより、雪又は雨が屋根上に溜まりずらくスムーズに流れるため、腐食の進行を抑えることができる。
【発明を実施するための最良の形態】
【０００６】
本発明のキュービクル補修工事用屋根構造の一実施例を図面に基づいて、以下に説明する。
図１に示すように、キュービクル式高圧受電設備は、四方を側面パネルＡに囲まれた各種変圧機器を収納する直方体のキュービクル函体Ｂと、該キュービクル函体Ｂの上部開口部を蔽う屋根Ｃとから構成される。
本発明のキュービクル補修工事用屋根構造は、前記屋根Ｃを構成する屋根本体１の形状に係る構造である。
図２に示すように、前記屋根Ｃは、前記函体Ｂの上部開口部を蔽う少なくとも２枚の屋根本体１と該屋根本体１同士の中央付き合わせ部分を覆う継目カバー２とからなる。
図２のＡ-Ａ矢視断面図の図３に示すように、前記屋根本体１は、鋼板から折曲一体形成され、前記キュービクル函体Ｂの上部開口部を蔽う平板状の天井部３と、該天井部３の三方辺に対して直角に所定幅で折り曲げられた側面部４と、該側面部４から前記天井部側へさらに直角に所定幅で折り曲げた底部５と、前記天井部３の開放端及び側面部の開放端に対して上方及び外方に直角に所定幅で立ち上げた立上部６と、該立上部先端から前記天井部側及び側面部側へさらに直角に所定幅で折り曲げた折曲鍔部７と、前記天井部３の開放端に対して対向する前記底部５から下方へ直角に側面パネルＡ幅で折り曲げ、前記キュービクル函体Ｂの側面パネルＡに取り付け固定される固定取付片８とから構成される。
前記継目カバー２は、前記折曲鍔部７の２倍の幅を有し、図３に示すように断面逆コの字状のチャンネル材である。
前記継目カバー２を少なくとも前記屋根本体１，１同士の立上部６，６を向かい合わせに付き合わせた折曲鍔部７，７に被せて覆い、前記キュービクル函体Ｂの屋根Ｃを形成するものである。
【０００７】
本発明のキュービクル補修工事用屋根構造の取付工事は、次のようにして行う。
取付工事には１日間の停電作業が必要になるが、大きさ、設置状況、所有者の都合により、２〜３日間の停電作業になる場合がある。
事前にキュービクル全体を調査してから屋根Ｃ寸法を計測し、工場にて屋根本体１を製作し、工事日に取付ける。
屋根本体１は、基本的には２．３ｍｍ厚のボンデ鋼板を使用し、ステンレスやその他腐食に耐えうる材質であれば良い。
大きさ、メーカーを問わずに同じ形状で屋根を製作し、また屋根を外せない場合はカバー工法でも製作する。
図４及び図５に示すように、旧屋根を撤去した部分に、屋根本体１，１同士を付き合わせた状態で載せ、キュービクル函体Ｂの側面パネルＡに固定取付片８をブラインドリベット止めで固定する。
そして、図４の矢印で示すように継目カバー２を前記屋根本体１，１同士の折曲鍔部７，７に被せて覆い、図５に示すように前記キュービクル函体Ｂの屋根Ｃを形成する。
なお、図４に示すように屋根本体１の底部５と側面パネルＡとの間の隙間Ｔは、メクラ板やＳＵＳパンチング板９により塞ぎ、鳥などが巣を作らないようにすると共にキュービクル函体Ｂからの熱気が放出できるようにする。
【０００８】
次に、キュービクル補修工事の全体作業工程を以下に説明する。
（1）停電作業完了後、旧屋根の取り外し作業を開始する。なお、状況により取り外せない場合には、カバー工法で処置する。
（2）扉を全てはずし、骨組み・側面パネルＡのみの状態にする。
（3）腐食部分を全て切断し、ケレンをする。
（4）上部をケレンして塗装をした後、工場で製作した屋根本体１を取り付ける。
（5）扉、沓摺り、本体側面、側面扉上部水切りなどを取り付ける。
（6）扉の丁番が腐食している場合には取り外した後、製作して新規に取り付ける。
（7）取り付けの継ぎ目部分にコーキング防水仕上げをして、錆止め塗装をし、キュービクル全体に仕上げ塗装をする。
（8）仕上げ塗装が乾燥した後、扉の内側、または本体の扉が収まる部分に防水パッキンを施す。
以上の工程で施工場所の環境に合わせたキュービクル補修工事を行うことにより、施工後は新設キュービクル以上の耐久性を持たせることができる。
【図面の簡単な説明】
【０００９】
【図１】本発明のキュービクル補修工事用屋根構造の函体Ｂと屋根Ｃとを分解して示す分解斜視図である。
【図２】本発明のキュービクル補修工事用屋根構造の屋根Ｃを示す分解斜視図である。
【図３】図２のＡ-Ａ矢視断面図である。
【図４】本発明のキュービクル補修工事用屋根構造の取付状態を示す側面図である。
【図５】図４のＢ-Ｂ矢視断面図である。
【符号の説明】
【００１０】
１  屋根本体
２  継目カバー
３  天井部
４  側面部
５  底部
６  立上部
７  折曲鍔部
８  固定取付片
９  パンチング板
【図１】
2007166736.tif 000003
【図２】
2007166736.tif 000004
【図３】
2007166736.tif 000005
【図４】
2007166736.tif 000006
【図５】
2007166736.tif 000007
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
屋根本体が鋼板から天井部、側面部、底部、立上部、折曲鍔部及び固定取付片を折曲一体形成され、前記天井部はキュービクル函体の上部開口部の半分を蔽い、前記側面部は前記天井部からキュービクル函体の側面パネルに対して下方に所定幅で折り曲げ、前記底部は前記側面部から内側へさらに直角に所定幅で折り曲げ、前記立上部は前記天井部のキュービクル函体の上部開口部側を上方及び前記側面部をキュービクル函体の側面パネルに対して外方に直角に所定幅で立ち上げ、前記折曲鍔部は前記立上部から外側へさらに直角に所定幅で折り曲げ、前記固定取付片は前記底部から下方へキュービクル函体の側面パネルに固定するように直角に折り曲げ、前記屋根本体同士の立上部を向かい合わせ接合してキュービクル函体の上部開口部を蔽い、前記固定取付片をキュービクル函体の側面パネルにそれぞれ固定することを特徴とするキュービクル補修工事用屋根構造。
【請求項２】
前記屋根本体同士の立上部の折曲鍔部を断面逆コの字状の継目カバーにより覆うことを特徴とする請求項1記載のキュービクル補修工事用屋根構造。
【手続補正２】
【補正対象書類名】明細書
【補正対象項目名】０００４
【補正方法】変更
【補正の内容】
【０００４】
本発明のキュービクル補修工事用屋根構造は、屋根本体が鋼板から天井部、側面部、底部、立上部、折曲鍔部及び固定取付片を折曲一体形成され、前記天井部はキュービクル函体の上部開口部の半分を蔽い、前記側面部は前記天井部からキュービクル函体の側面パネルに対して下方に所定幅で折り曲げ、前記底部は前記側面部から内側へさらに直角に所定幅で折り曲げ、前記立上部は前記天井部のキュービクル函体の上部開口部側を上方及び前記側面部をキュービクル函体の側面パネルに対して外方に直角に所定幅で立ち上げ、前記折曲鍔部は前記立上部から外側へさらに直角に所定幅で折り曲げ、前記固定取付片は前記底部から下方へキュービクル函体の側面パネルに固定するように直角に折り曲げ、前記屋根本体同士の立上部を向かい合わせ接合してキュービクル函体の上部開口部を蔽い、前記固定取付片をキュービクル函体の側面パネルにそれぞれ固定するものである。
前記屋根本体同士の立上部の折曲鍔部を断面逆コの字状の継目カバーにより覆うものである。
【手続補正３】
【補正対象書類名】明細書
【補正対象項目名】０００６
【補正方法】変更
【補正の内容】
【０００６】
本発明のキュービクル補修工事用屋根構造の一実施例を図面に基づいて、以下に説明する。
図１に示すように、キュービクル式高圧受電設備は、四方を側面パネルＡに囲まれた各種変圧機器を収納する直方体のキュービクル函体Ｂと、該キュービクル函体Ｂの上部開口部を蔽う屋根Ｃとから構成される。
本発明のキュービクル補修工事用屋根構造は、前記屋根Ｃを構成する屋根本体１の形状に係る構造である。
図２に示すように、前記屋根Ｃは、前記函体Ｂの上部開口部を蔽う少なくとも２枚の屋根本体１と該屋根本体１同士の中央付き合わせ部分を覆う継目カバー２とからなる。
図２のＡ-Ａ矢視断面図の図３に示すように、前記屋根本体１は、鋼板から天井部３、側面部４、底部５、立上部６、折曲鍔部７及び固定取付片８を折曲一体形成される。
前記天井部３はキュービクル函体Ｂの上部開口部の半分を蔽い、前記側面部４は前記天井部３からキュービクル函体Ｂの側面パネルＡに対して下方に所定幅で折り曲げ、前記底部５は前記側面部４から内側へさらに直角に所定幅で折り曲げ、前記立上部６は前記天井部３のキュービクル函体Ｂの上部開口部側を上方及び前記側面部４をキュービクル函体Ｂの側面パネルＡに対して外方に直角に所定幅で立ち上げ、前記折曲鍔部７は前記立上部６から外側へさらに直角に所定幅で折り曲げ、前記固定取付片８は前記底部５から下方へキュービクル函体Ｂの側面パネルＡに固定するように直角に折り曲げる。
前記屋根本体１，１同士の立上部６，６を向かい合わせ接合してキュービクル函体Ｂの上部開口部を蔽い、前記固定取付片８をキュービクル函体Ｂの側面パネルＡにそれぞれ固定する。
前記継目カバー２は、前記折曲鍔部７の２倍の幅を有し、図３に示すように断面逆コの字状のチャンネル材である。
前記継目カバー２を少なくとも前記屋根本体１，１同士の立上部６，６を向かい合わせに付き合わせた折曲鍔部７，７に被せて覆い、前記キュービクル函体Ｂの屋根Ｃを形成するものである。